【手続補正書】
【提出日】平成16年8月26日(2004.8.26)
【手続補正１】
【補正対象書類名】明細書
【補正対象項目名】特許請求の範囲
【補正方法】変更
【補正の内容】
【特許請求の範囲】
【請求項１】
複数の像担持体と、各像担持体上に互いに異なる色の画像を形成する画像形成手段と、各像担持体に対向する１次転写位置を通過するように複数の支持部材に張架されて駆動される無端ベルト状の中間転写体と、各像担持体上に形成された各色の画像を該中間転写体に重ね合わせて転写する１次転写手段と、該中間転写体に位置する２次転写位置で、該中間転写体上の画像を記録媒体に一括転写する２次転写手段と、該２次転写位置を通過した記録媒体上の画像を定着するように該２次転写位置の下流に設けられた定着手段と、該２次転写手段における２次転写位置及び該定着手段における定着位置を下流方向に向って通過するように該記録媒体を搬送する搬送手段と、該中間転写体の上方に位置する記録媒体受け面と該定着手段を通過した記録媒体を該記録媒体受け面上に排出する排出口とを有する排出部とを備えたカラー画像形成装置であって、
該排出部の該記録媒体受け面の少なくとも一部が、該排出口側に近づくにしたがって下方に傾斜し且つその最下端が該排出口よりも低い傾斜面で形成され、
該中間転写体が該排出部の該傾斜面に沿って傾斜して延在するように、該中間転写体が張架され、
該中間転写体の張架部に対向するように、該複数の像担持体が配置され、
該中間転写体と該排出部の記録媒体受け面との間に、該画像形成手段で用いる互いに色が異なるトナーを収容する複数のトナー収容部が、該記録媒体受け面の傾斜面に沿って並設され、
該中間転写体の傾斜の角度が、５度から２５度の範囲であることを特徴とするカラー画像形成装置。
【請求項２】
請求項１のカラー画像形成装置において、
上記並設された隣接するトナー収容部の傾斜角度が、上記中間転写体の傾斜角度と同角度であることを特徴とするカラー画像形成装置。
【請求項３】
請求項２のカラー画像形成装置において、
上記併設されたトナー収容部の配置間隔が、上記像担持体の配置間隔と同間隔であることを特徴とするカラー画像形成装置。
【請求項４】
請求項３のカラー画像形成装置において、
上記トナー収容部の形状が角筒状であることを特徴とするカラー画像形成装置。
【請求項５】
請求項１乃至４のいずれかのカラー画像形成装置がカラープリンターであることを特徴とするカラー画像形成装置。
【手続補正２】
【補正対象書類名】明細書
【補正対象項目名】００１５
【補正方法】変更
【補正の内容】
【００１５】
【課題を解決するための手段】
上記の目的を達成するため、本発明は、複数の像担持体と、各像担持体上に互いに異なる色の画像を形成する画像形成手段と、各像担持体に対向する１次転写位置を通過するように複数の支持部材に張架されて駆動される無端ベルト状の中間転写体と、各像担持体上に形成された各色の画像を該中間転写体に重ね合わせて転写する１次転写手段と、該中間転写体に位置する２次転写位置で、該中間転写体上の画像を記録媒体に一括転写する２次転写手段と、該２次転写位置を通過した記録媒体上の画像を定着するように該２次転写位置の下流に設けられた定着手段と、該２次転写手段における２次転写位置及び該定着手段における定着位置を下流方向に向って通過するように該記録媒体を搬送する搬送手段と、該中間転写体の上方に位置する記録媒体受け面と該定着手段を通過した記録媒体を該記録媒体受け面上に排出する排出口とを有する排出部とを備えたカラー画像形成装置であって、該排出部の該記録媒体受け面の少なくとも一部が、該排出口側に近づくにしたがって下方に傾斜し且つその最下端が該排出口よりも低い傾斜面で形成され、該中間転写体が該排出部の該傾斜面に沿って傾斜して延在するように、該中間転写体が張架され、該中間転写体の張架部に対向するように、該複数の像担持体が配置され、該中間転写体と該排出部の記録媒体受け面との間に、該画像形成手段で用いる互いに色が異なるトナーを収容する複数のトナー収容部が、該記録媒体受け面の傾斜面に沿って並設され、該中間転写体の傾斜の角度が、５度から２５度の範囲であることを特徴としている。
【手続補正３】
【補正対象書類名】明細書
【補正対象項目名】００１６
【補正方法】変更
【補正の内容】
【００１６】
なお、本発明は、上記並設された隣接するトナー収容部の傾斜角度が、上記中間転写体の傾斜角度と同角度であると、効果的である。
【手続補正４】
【補正対象書類名】明細書
【補正対象項目名】００１７
【補正方法】変更
【補正の内容】
【００１７】
さらに、本発明は、上記併設されたトナー収容部の配置間隔が、上記像担持体の配置間隔と同間隔であると、効果的である。
【手続補正５】
【補正対象書類名】明細書
【補正対象項目名】００１８
【補正方法】変更
【補正の内容】
【００１８】
さらにまた、本発明は、上記トナー収容部の形状が角筒状であると、効果的である。
【手続補正６】
【補正対象書類名】明細書
【補正対象項目名】００１９
【補正方法】変更
【補正の内容】
【００１９】
さらにまた、本発明は、請求項１乃至４のいずれかのカラー画像形成装置がカラープリンターであると、効果的である。
【手続補正７】
【補正対象書類名】明細書
【補正対象項目名】００２０
【補正方法】削除
【補正の内容】
【手続補正８】
【補正対象書類名】明細書
【補正対象項目名】００２１
【補正方法】削除
【補正の内容】
【手続補正９】
【補正対象書類名】明細書
【補正対象項目名】００２２
【補正方法】削除
【補正の内容】
【手続補正１０】
【補正対象書類名】明細書
【補正対象項目名】００２３
【補正方法】削除
【補正の内容】
【手続補正１１】
【補正対象書類名】明細書
【補正対象項目名】００２４
【補正方法】削除
【補正の内容】
【手続補正１２】
【補正対象書類名】明細書
【補正対象項目名】００２５
【補正方法】削除
【補正の内容】
【手続補正１３】
【補正対象書類名】明細書
【補正対象項目名】００２６
【補正方法】削除
【補正の内容】
【手続補正１４】
【補正対象書類名】明細書
【補正対象項目名】００２７
【補正方法】削除
【補正の内容】
【手続補正１５】
【補正対象書類名】明細書
【補正対象項目名】００２８
【補正方法】削除
【補正の内容】
【手続補正１６】
【補正対象書類名】明細書
【補正対象項目名】００５９
【補正方法】変更
【補正の内容】
【００５９】
【発明の効果】
本発明によれば、作像手段が配置される下部側のベルト走行辺が傾斜されているので、複数の作像手段を用いる形式の画像形成装置であっても、その縦横の両方のサイズをコンパクト化することができる。
【手続補正１７】
【補正対象書類名】明細書
【補正対象項目名】００６０
【補正方法】削除
【補正の内容】
【手続補正１８】
【補正対象書類名】明細書
【補正対象項目名】００６１
【補正方法】削除
【補正の内容】
【手続補正１９】
【補正対象書類名】明細書
【補正対象項目名】００６２
【補正方法】削除
【補正の内容】
【手続補正２０】
【補正対象書類名】明細書
【補正対象項目名】００６３
【補正方法】削除
【補正の内容】
【手続補正２１】
【補正対象書類名】明細書
【補正対象項目名】００６４
【補正方法】削除
【補正の内容】
【手続補正２２】
【補正対象書類名】明細書
【補正対象項目名】００６５
【補正方法】削除
【補正の内容】
【手続補正２３】
【補正対象書類名】明細書
【補正対象項目名】００６６
【補正方法】削除
【補正の内容】
【手続補正２４】
【補正対象書類名】明細書
【補正対象項目名】００６７
【補正方法】削除
【補正の内容】